(57)【特許請求の範囲】
【請求項１】
文字列を配置する流し込み領域を有する流し込み図形部品を配置するための配置領域を作成する配置領域作成手段と、前記流し込み図形部品を作成する流し込み図形部品作成手段と、前記流し込み図形部品の流し込み領域に配置すべき前記文字列を格納した組版情報を複数有する組版データを作成する組版データ作成手段と、前記流し込み図形部品の流し込み領域に前記組版データに格納された文字列を配置して組版済み流し込み図形部品を作成する文字列配置手段と、前記組版済み流し込み図形部品を前記配置領域に配置するレイアウトデータ作成手段を備えた電子組版装置であって、
前記流し込み図形部品を構成する構成要素を指定する構成要素指定手段と、前記組版データが有する組版情報を指定する組版情報指定手段と、前記構成要素の表示態様を定義した属性を複数作成する表示属性作成手段と、を有し、
前記組版データ作成手段が、前記組版情報に前記流し込み図形部品の表示属性を指定するための文字列を格納し、
前記レイアウトデータ作成手段が、前記組版情報指定手段が指定した組版情報に格納された前記流し込み図形部品の表示属性を指定する文字列に基づいて前記表示属性を選択し、該選択された表示属性を前記流し込み図形部品の構成要素に付与することにより前記組版済み流し込み図形部品の表示態様を決定すること、を特徴とする電子組版装置。
【請求項２】
前記組版済み流し込み図形部品の流し込み領域に配置された文字列を修正する文字列修正手段を備えており、前記文字列修正手段により前記流し込み領域に配置された文字列が修正された場合、該文字列が前記組版情報指定手段にて指定された組版情報に格納された文字列であるならば、前記属性付与手段が修正された文字列に基づいて前記組版済み流し込み図形部品に付与された前記表示属性を変更することにより、前記レイアウトデータ作成手段が前記組版済み流し込み図形部品の表示態様を変更すること、を特徴とする請求項１に記載の電子組版装置。
【請求項３】
前記表示属性作成手段で作成される表示属性が、前記組版済み流し込み図形部品の流し込み領域に配置された文字の色に関するものであること、を特徴とする請求項１に記載の電子組版装置。
【請求項４】
前記表示属性作成手段で作成される表示属性が、前記組版済み流し込み図形部品の流し込み領域に配置された画像部品の色に関するものであること、を特徴とする請求項１に記載の電子組版装置。
【請求項５】
前記表示属性作成手段で作成される表示属性が、前記組版済み流し込み図形部品の構成要素である罫線の色に関するものであること、を特徴とする請求項１に記載の電子組版装置。
【請求項６】
前記表示属性作成手段で作成される表示属性が、前記組版済み流し込み図形部品の流し込み領域の領域色に関するものであること、を特徴とする請求項１に記載の電子組版装置。
【請求項７】
電子組版装置における組版方法であって、
文字列を配置する流し込み領域を有する流し込み図形部品を配置するための配置領域を作成する配置領域作成工程と、
前記流し込み図形部品を作成する流し込み図形部品作成工程と、
前記流し込み図形部品を構成する構成要素を指定する構成要素指定工程と、
前記流し込み図形部品の流し込み領域に配置すべき前記文字列、および前記流し込み図形部品の表示属性を指定するための文字列を格納した組版情報を複数有する組版データを作成する組版データ作成工程と、
前記組版データが有する組版情報を指定する組版情報指定工程と、
前記構成要素の表示態様を定義した属性を複数作成する表示属性作成工程と、
前記流し込み図形部品の流し込み領域に前記組版データに格納された文字列を配置して組版済み流し込み図形部品を作成する文字列配置工程と、
前記組版情報指定工程で指定された組版情報に格納された前記流し込み図形部品の表示属性を指定する文字列に基づいて前記表示属性を選択し、該選択された表示属性を前記流し込み図形部品の構成要素に付与することにより前記組版済み流し込み図形部品の表示態様を決定する組版済み流し込み図形部品配置工程と、
を有することを特徴とする電子組版装置の組版方法。
【請求項８】
請求項１に記載の電子組版装置を一般的なコンピュータで実現するためのプログラムを格納したコンピュータ読み取り可能な記録媒体。
【請求項９】
請求項１に記載の電子組版装置を一般的なコンピュータで実現するためのプログラム。
【発明の詳細な説明】
【０００１】
【産業上の利用分野】
チラシやカタログなど、商品の種類により文字色や背景色、罫線色が異なった表示が行なわれた印刷物を作成するためのレイアウトデータを作成する電子組版装置、組版方法、および記録媒体並びにプログラムに関する。
【０００２】
【従来の技術】
従来から、チラシやカタログ等、商品の紹介のため複数の文字列が配置された印刷物を作成するにあたって、コンピュータを利用した電子組版装置によるレイアウトデータ作成が行なわれてきた。
チラシやカタログ等のためのレイアウトデータ作成については、例えば従来技術として特開平７−３０４１４８号に記載の文字列組版装置がある。これは文字列を配置するための基本領域を設定した上で、さらに基本領域内部に文字列を実際に配置する複数の内部領域を設定し、各内部領域に文字列をそれぞれ配置するものである。ここで、文字列を内部領域に配置する処理は、一般に「流し込み」と呼ばれている。
【０００３】
ところで、チラシやカタログ等の印刷物においては、商品の種類により、商品の紹介の表示態様が異なっていることが多々ある。例えば、チラシなどにおいては、食肉部分の表示については背景色が赤色であり、魚肉部分の表示については背景色を青色にしたりすることが一般的に行なわれているし、文字色や罫線色についても、商品の種類により表示態様が異なっていることは珍しくない。
【０００４】
【発明が解決しようとする課題】
このように商品の種類により商品紹介時の表示態様が変更されているチラシやカタログのレイアウトデータ作成後の修正作業は、極めて煩わしいものであった。すなわち、従来の技術では、配置領域の罫線色は配置領域作成時に設定しなければならず、文字列を流し込む内部領域（以降、流し込み領域と称する）の背景となる領域色もまた配置領域作成時に設定しなければならなかったため、罫線色や領域色を変更する際には、ほぼ組版処理の最初に戻って処理をやり直すことになり、組版作業の効率化を著しく阻害していた。
前述の特開平７−３０４１４８号においては、平網部品についても文字列同様流し込む形で流し込み領域に自動的に配置することは可能であるが、レイアウトデータ作成以前に平網部品を作成しなければならないため、レイアウトデータ後の修正作業が煩わしいという問題点の解決にはつながらなかった。
また、流し込み領域に流し込まれた文字列の色を修正したいだけの場合であっても、従来の技術では流し込み前に文字色の設定を行うため、修正を行うためだけに再度文字列の流し込みを行わなければならず、組版作業の効率化という点では問題があった。
【０００５】
そこで、本発明の目的は、従来技術の欠点を除去し、商品紹介時の表示態様変更を容易に行うことができる電子組版装置を提供することであり、特に配置領域の罫線色や領域色、あるいは文字列の色を容易に変更することができ、修正作業の効率を向上しうる電子組版装置を提供することである。
【０００６】
【課題を解決するための手段】
かかる課題を解決する為に、請求項１に係る発明は、文字列を配置する流し込み領域を有する流し込み図形部品を配置するための配置領域を作成する配置領域作成手段と、前記流し込み図形部品を作成する流し込み図形部品作成手段と、前記流し込み図形部品の流し込み領域に配置すべき前記文字列を格納した組版情報を複数有する組版データを作成する組版データ作成手段と、前記流し込み図形部品の流し込み領域に前記組版データに格納された文字列を配置して組版済み流し込み図形部品を作成する文字列配置手段と、前記組版済み流し込み図形部品を前記配置領域に配置してレイアウトデータを作成するレイアウトデータ作成手段を備えた電子組版装置であって、前記流し込み図形部品を構成する構成要素を指定する構成要素指定手段と、前記組版データが有する組版情報を指定する組版情報指定手段と、前記構成要素の表示態様を定義した属性を複数作成する表示属性作成手段と、を有し、前記組版データ作成手段が、前記組版情報に前記流し込み図形部品の表示属性を指定するための文字列を格納し、前記レイアウトデータ作成手段が、前記組版情報指定手段が指定した組版情報に格納された前記流し込み図形部品の表示属性を指定する文字列に基づいて前記表示属性を選択し、該選択された表示属性を前記流し込み図形部品の構成要素に付与することにより前記組版済み流し込み図形部品の表示態様を決定すること、を特徴としている。
【０００７】
請求項１に記載の電子組版装置は、文字列を配置した流し込み図形部品を配置領域に配置してレイアウトデータを作成する電子組版装置において、レイアウトデータ作成手段が、流し込み図形部品を構成する構成要素の表示態様を定義した表示属性を、組版情報に格納された文字列に対応して、組版済み流し込み図形部品の構成要素に付与することにより、レイアウトデータにおける商品紹介時の表示態様変更を容易に行うことができる電子組版装置を提供することができる。
【０００８】
また請求項２に係る発明は、請求項１に記載の電子組版装置であって、前記組版済み流し込み図形部品の流し込み領域に配置された文字列を修正する文字列修正手段を備えており、前記文字列修正手段により前記流し込み領域に配置された文字列が修正された場合、該文字列が前記組版情報指定手段にて指定された組版情報に格納された文字列であるならば、前記属性付与手段が修正された文字列に基づいて前記組版済み流し込み図形部品に付与された前記表示属性を変更することにより、前記レイアウトデータ作成手段が前記組版済み流し込み図形部品の表示態様を変更すること、を特徴としている。
【０００９】
請求項２に記載の電子組版装置は、組版済み流し込み図形部品の流し込み領域に配置された文字列を修正する文字列修正手段を有しているので、流し込み領域に流し込まれた文字列を容易に修正することができるとともに、修正された文字列が組版情報指定手段で指定された組版情報に格納された文字列であったならば、組版情報に格納された文字列に対応して、流し込み図形部品を構成する構成要素の表示態様を定義した表示属性を変更することにより、レイアウトデータにおける商品紹介時の表示態様変更を容易に行い、さらに修正作業の効率を向上しうる電子組版装置を提供することができる。
【００１０】
更に請求項３に係る発明は、請求項１に記載の電子組版装置であって、前記表示属性作成手段で作成される表示属性が、前記組版済み流し込み図形部品の流し込み領域に配置された文字の色に関するものであること、を特徴としている。
【００１１】
請求項３に記載の電子組版装置は、表示属性作成手段で作成される表示属性が、流し込み領域に配置された文字の色に関するものなので、レイアウトデータ作成時に商品紹介時の表示態様の一つである文字色を容易に変更することができる。
【００１２】
更に請求項４に係る発明は、請求項１に記載の電子組版装置であって、前記表示属性作成手段で作成される表示属性が、前記組版済み流し込み図形部品の流し込み領域に配置された画像部品の色に関するものであること、を特徴としている。
【００１３】
請求項４に記載の電子組版装置は、表示属性作成手段で作成される表示属性が、流し込み領域に配置された画像部品の色に関するものなので、レイアウトデータ作成時に商品紹介時の表示態様の一つである画像部品の色を容易に変更することができる。
【００１４】
更に請求項５に係る発明は、請求項１に記載の電子組版装置であって、前記表示属性作成手段で作成される表示属性が、前記組版済み流し込み図形部品の構成要素である罫線の色に関するものであること、を特徴としている。
【００１５】
請求項５に記載の電子組版装置は、表示属性作成手段で作成される表示属性が、組版済み流し込み図形部品を構成する罫線の色に関するものなので、レイアウトデータ作成時に商品紹介時の態様の一つである罫線色を容易に変更することができる。
【００１６】
加えて請求項６に係る発明は、請求項１に記載の電子組版装置であって、前記表示属性作成手段で作成される表示属性が、前記組版済み流し込み図形部品の流し込み領域の領域色に関するものであること、を特徴としている。
【００１７】
請求項６に記載の電子組版装置は、表示属性作成手段で作成される表示属性が、組版済み流し込み図形部品の流し込み領域の領域色に関するものなので、レイアウトデータ作成時に商品紹介時の態様の一つである罫線色を容易に変更することができる。
【００１８】
また請求項７に係る発明は、電子組版装置の組版方法であって、文字列を配置する流し込み領域を有する流し込み図形部品を配置するための配置領域を作成する配置領域作成工程と、前記流し込み図形部品を作成する流し込み図形部品作成工程と、前記流し込み図形部品を構成する構成要素を指定する構成要素指定工程と、前記流し込み図形部品の流し込み領域に配置すべき前記文字列、および前記流し込み図形部品の表示属性を指定するための文字列を格納した組版情報を複数有する組版データを作成する組版データ作成工程と、前記組版データが有する組版情報を指定する組版情報指定工程と、前記構成要素の表示態様を定義した属性を複数作成する表示属性作成工程と、前記流し込み図形部品の流し込み領域に前記組版データに格納された文字列を配置して組版済み流し込み図形部品を作成する文字列配置工程と、前記組版情報指定工程で指定された組版情報に格納された前記流し込み図形部品の表示属性を指定する文字列に基づいて前記表示属性を選択し、該選択された表示属性を前記流し込み図形部品の構成要素に付与することにより表示態様を決定した前記組版済み流し込み図形部品を前記配置領域に配置してレイアウトデータを作成するレイアウトデータ作成工程と、を有することを特徴としている。
【００１９】
請求項７に記載の組版方法は、文字列を配置した流し込み図形部品を配置領域に配置してレイアウトデータを作成する電子組版装置において、レイアウトデータ作成手段が、流し込み図形部品を構成する構成要素の表示態様を定義した表示属性を、組版情報に格納された文字列に対応して、組版済み流し込み図形部品の構成要素に付与することにより、レイアウトデータにおける商品紹介時の表示態様変更を容易に行うことができる組版方法を提供することができる。
【００２０】
請求項８に係る発明は、請求項１に記載の電子組版装置を一般的なコンピュータで実現するためのプログラムを格納したコンピュータ読み取り可能な記録媒体である。
【００２１】
請求項８に記載の記録媒体は、請求項１に記載の電子組版装置を実現するためのプログラムがコンピュータ読み取り可能な記録媒体に格納されているので、一般的に使用されているコンピュータにおいて、請求項１に記載の電子組版装置を実現することができる。
【００２２】
加えて請求項９に係る発明は、請求項１に記載の電子組版装置を一般的なコンピュータで実現するためのプログラムである。
【００２３】
請求項９に記載のプログラムは、請求項１に記載の電子組版装置を実現するためのプログラムなので、一般的に使用されているコンピュータにおいて、請求項１に記載の電子組版装置を実現することができる。
【００２４】
【発明の実施の形態】
図1は、本発明に係わる電子組版装置１の構成を説明するための図である。電子組版装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。ＣＰＵ１１は、電子組版装置１全体を制御し、特にメディアドライブ１５に挿入されたメディアディスク１８に記録されているプログラムをメモリ１７において実行することによって、電子組版装置１の機能を実現している。表示部１２は、組版処理に必要な情報を表示するために使用される。入力部１３は、マウスやキーボードで構成されており、電子組版装置１に対してオペレータが指示を入力するために使用する。ネットワークＩ／Ｆ１４は、電子組版装置１と図示しないネットワークとを接続するためのものである。ネットワークＩ／Ｆ１４を介して、電子組版装置１はネットワークに接続されている図示しない端末から流し込み処理に必要な情報をを受信することができる。また、図示しないサーバより、電子組版装置１の機能を実現するプログラムをダウンロードすることも可能である。さらに、図示しない出力装置がネットワークを介して電子組版装置１と接続されている場合には、このネットワークＩ／Ｆ１４を介して、出力装置にレイアウトデータＬＤを送信する。メディアドライブ１５は、メディアディスク１８に記録されているプログラムを読み取るために使用する。メディアドライブ１５で読み取られたプログラムにより、電子組版装置１の機能が実現される。記憶部１６は、メディアドライブ１５で読み取られたプログラムを格納する。また、記憶部１６は、組版データＫＤ、配置領域データＨＤ、レイアウトデータＬＤや流し込み部品データＮＤ、流し込み領域属性ＮＺを記憶する。
【００２５】
メモリ１７は、記憶部１６によって記憶されたプログラムをＣＰＵ１１が実行するためのワークエリアである。ＣＰＵ１１によってプログラムが実行された結果、メモリ１７において、組版データ作成部１７１、配置領域作成部１７２、組版情報指定部１７３、流し込み領域属性作成部１７４、組版データ配置部１７５の機能が実現する。
【００２６】
組版データ作成部１７１は、所望する印刷物に表現される文字情報を作成するためのものである。組版データ作成部１７１は、表現すべき文字列を格納する組版情報ＫＪを複数有する組版データＫＤを作成する。電子組版装置１のオペレータは、組版データ作成部１７１を操作し、所望する文字列を組版情報ＫＪに格納し、印刷物の表現に必要な個数分の組版データＫＤを作成する。
【００２７】
配置領域作成部１７２は、所望する印刷物に表現される文字情報を配置するための領域を作成するためのものである。配置領域作成部１７２は、組版データＫＤに格納された文字列を配置するために、配置領域ＨＬを作成する。また、配置領域ＨＬに基づいて、流し込み領域ＮＬを複数備えた流し込み部品データＮＤを作成する。流し込み部品データＮＤの流し込み領域ＮＬは、組版データＫＤが有する組版情報ＫＪに対応するよう作成されており、後述するプロセスによって、組版情報ＫＪに格納された文字列が、それぞれ流し込み領域ＮＬに配置され、組版済み流し込み部品データＫＮＤが作成される。なお、配置領域ＨＬは、印刷物の表現に必要な数分作成され、その集合は配置領域データＨＤとして取り扱われる。
【００２８】
組版情報指定部１７３は、組版データ作成部１７１が作成した組版データＫＤが有する組版情報ＫＪを指定するためのものである。オペレータが入力部１３を操作して組版データＫＤの組版情報ＫＪのいずれかを指定すると、組版情報作成部１７３は該指定された組版情報ＫＪを指定組版情報ＳＫＪとして格納する。指定組版情報ＳＫＪは、後述するプロセスにて使用される。
【００２９】
流し込み領域属性作成部１７４は、配置領域作成部１７２で作成された流し込み領域ＮＬに対する流し込み領域属性ＮＺを作成するためのものである。流し込み領域属性ＮＺとは、印刷物の表示態様を定義するためのものであり、具体的には、流し込み領域ＮＬに配置された文字列、画像、罫線、あるいは流し込み領域の領域色をそれぞれ定義したものである。このような流し込み領域属性ＮＺが付与された流し込み領域ＮＬを有するレイアウトデータＬＤによる印刷物は、流し込み領域属性ＮＺで定義された文字色、画像色、罫線色、領域色で表現されたものとなる。流し込み領域属性作成部１７４は、複数の流し込み領域属性ＮＺを作成することにより、印刷物に対してさまざまな表示態様を行うことができる。
また、流し込み領域属性作成部１７４は、流し込み領域設定情報ＮＬＤを作成する。流し込み領域設定情報ＮＬＤは、組版データＫＤの組版情報ＫＪと、流し込み部品データＮＤの流し込み領域ＮＬとの関係を設定した設定情報を格納しており、組版データＫＤが有する組版情報ＫＪに格納された文字列は、流し込み領域設定情報ＮＬＤに基づいて、流し込み領域ＮＬにそれぞれ流し込まれる。また、流し込み領域設定情報ＮＬＤは、流し込み領域ＮＬと流し込み領域属性ＮＺとの関係についての設定情報も格納している。
【００３０】
組版データ配置部１７５は、組版データＫＤに格納された文字列を流し込み部品データＮＤの流し込み領域ＮＬに流し込み、その結果作成された組版済み流し込み部品データＫＮＤを配置領域ＨＬに配置することにより、レイアウトデータＬＤを作成するためのものである。組版データ配置部１７５は、組版済み流し込み部品データＫＮＤを配置領域ＨＬに配置するための配置情報ＨＪを作成する。そして、組版データ配置部１７５は、流し込み領域設定情報ＮＬＤに基づいて、組版データＫＤが有する組版情報ＫＪに格納された文字列を、流し込み部品データＮＤの流し込み領域ＮＬに流し込み、組版済み流し込み部品データＫＮＤを作成する。また、組版データ配置部１７５は、配置情報ＨＪに基づいて、複数の組版データＫＤに格納された文字列が流し込まれて作成された複数の組版済み流し込み部品データＫＮＤを、配置領域ＨＬそれぞれに配置することにより、組版済み配置領域ＫＨＬの集合であるレイアウトデータＬＤを作成することにより、所望する印刷物を作成することができる。
【００３１】
また、組版データ配置部１７５は、流し込み領域属性付与部１７５１と、配置内容修正部１７５２を備えている。
流し込み領域属性付与部１７５１は、流し込み部品データＮＤの流し込み領域ＮＬに対して、流し込み領域属性作成部１７４で作成された流し込み領域属性ＮＺを付与するためのものである。流し込み領域属性付与部１７５１が、組版情報指定部１７３により指定された、組版データＫＤの指定組版情報ＳＫＪに格納された文字列に基づいて、流し込み領域属性ＮＺを流し込み領域ＮＬに付与することにより、流し込み領域ＮＬの表示態様が決定される。
【００３２】
配置内容修正部１７５２は、組版済み流し込み部品データＫＮＤの流し込み領域ＮＬに流し込まれた文字列を修正するためのものである。オペレータにより、組版済み流し込み部品データＫＮＤの流し込み領域ＮＬが指定されると、該流し込み領域ＮＬに格納された文字列について、配置内容修正部１７５２が修正を行う。ここで、配置内容修正部１７５２によって修正される文字列が、指定組版情報ＳＫＪに格納された文字列であるならば、該文字列の修正の結果に対応して、流し込み領域属性付与部１７５１による流し込み領域属性ＮＺの再付与が行なわれることになる。
【００３３】
図２は、電子組版装置１の動作を説明するためのフローチャートである。
ステップＳ１において、配置領域作成部１７２が、配置領域ＨＬを複数作成し、該配置領域ＨＬに配置する流し込み部品データＮＤを作成する。図３は、配置領域ＨＬおよび流し込み部品データＮＤの作成について説明するための図である。電子組版装置１のオペレータは、配置領域作成部１７２を起動し、表示部１２にてレイアウト領域ＬＬを作成する。そして、オペレータは入力部１３をさらに操作して、レイアウト領域ＬＬ上に所望の形状を有する図形を作成することにより、配置領域ＨＬの作成が実行される。
ここでは、オペレータが、図３（ａ）に示すように、入力部１３を操作して指定した任意の二点を左下および右上頂点とする矩形を複数作成し、該複数の矩形それぞれが配置領域ＨＬであるものとして、図３（ｂ）に示すような配置領域ＨＬの集合である配置領域データＨＤが作成されたものとする。
【００３４】
流し込み部品データＮＤの作成については、オペレータが配置領域作成部１７２を起動し、表示部１２に配置領域ＨＬを一つ表示する。配置領域作成部１７２は、表示された配置領域ＨＬを独立した配置図形ＨＺとして扱う。オペレータは入力部１３を操作して、該配置図形ＨＺ上に流し込み領域ＮＬを複数作成する。配置領域作成部１７２は、配置図形ＨＺの左上点および右下点の座標並びに、各流し込み領域ＮＬの左上点および右下点の座標を、組版データＫＤに格納された文字列が流し込まれる流し込み部品データＮＤとして、記憶部１６へ格納する。また、流し込み領域属性作成部１７４が、流し込み部品データＮＤについて、組版情報ＫＪに格納された文字列を流し込み領域ＮＬに流し込む設定を行うため、流し込み領域設定メニューＭＬＮを表示部１２に表示する。
【００３５】
図３（ｄ）は流し込み領域設定メニューＭＬＮを説明するための図である。流し込み領域設定メニューＭＬＮは、組版情報設定欄４１、ＯＫボタン４２、キャンセルボタン４３を備えており、オペレータが入力部１３を操作して、流し込み領域設定メニューＭＬＮの各欄に対する入力を行うことにより、流し込み領域属性作成部１７４が流し込み領域設定情報ＮＬＤを作成する。
【００３６】
組版情報設定欄４１は、流し込み部品データＮＤの流し込み領域ＮＬそれぞれに対して、組版情報ＫＪの設定を入力するために使用する。そのために、組版情報設定欄４１は、流し込み領域表示欄４１ａ、流し込み領域名入力欄４１ｂ、組版情報入力欄４１ｃ、オブジェクト番号入力欄４１ｄを備えている。
【００３７】
流し込み領域表示欄４１ａは、流し込み部品データＮＤの流し込み領域ＮＬ名を表示しており、この流し込み領域表示欄４１ａに対応する各欄にオペレータが入力を行うことにより、流し込み領域設定情報ＮＬＤが作成される。なお、流し込み領域表示欄４１ａは、流し込み領域ＮＬのみならず、流し込み部品データＮＤを構成する配置図形ＨＺの名称も表示する。すなわち、流し込み領域設定情報ＮＬＤは、流し込み領域ＮＬを構成する流し込み部品データＮＤの要素全てについての設定情報を格納したものである。
【００３８】
流し込み領域名入力欄４１ｂは、流し込み部品データＮＤの流し込み領域ＮＬそれぞれの名称を入力するために使用する。流し込み部品データＮＤの流し込み領域ＮＬにそれぞれ名称を入力するのは、流し込み部品データＮＤの構成をオペレータが理解する補助のためである。オペレータが、入力部１３を操作して、流し込み領域名入力欄４１ｂの各項目に流し込み領域ＮＬそれぞれに名称を入力することにより、流し込み部品データＮＤの流し込み領域ＮＬそれぞれの名称が、流し込み領域設定情報ＮＬＤに格納される。
なお、流し込み部品データＮＤを構成する図形ＨＺについては、流し込み領域ＮＬそのものではないので、名称が入力されることはない。
【００３９】
組版情報入力欄４１ｃは、各流し込み領域ＮＬに流し込まれる文字列を格納した組版情報ＫＪを設定するために使用する。オペレータが、入力部１３を操作して、流し込み領域ＮＬそれぞれに流し込まれる文字列を格納した組版情報ＫＪについて入力を行うことにより、流し込み領域設定情報ＮＬＤに該組版情報ＫＪに関する設定が格納される。
【００４０】
オブジェクト番号入力欄４１ｄは、流し込み領域表示欄４１ａに示された流し込み部品データＮＤを構成する要素について、後述するプロセスにより、流し込み領域属性ＮＺが付与された際の表示態様を定義するためのオブジェクト番号ｏｂｊを入力するために使用する。オブジェクト番号ｏｂｊとは、後述するプロセスにおいて作成される流し込み領域属性ＮＺにおいて、流し込み領域ＮＬそれぞれや配置図形ＨＺの表示態様を定義した番号である。流し込み領域設定情報ＮＬＤにおいて、このオブジェクト番号ｏｂｊを、流し込み部品データＮＤを構成する構成要素と関連付けて格納することにより、流し込み部品データＮＤを構成する流し込み領域ＮＬや配置図形ＨＺの表示態様が設定される。なお、図示しているように、オブジェクト番号入力欄４１ｄにおいて、一つの流し込み領域ＮＬに対して、複数のオブジェクト番号ｏｂｊを指定することが可能である。
【００４１】
組版情報設定欄４１に対する入力が終わったならば、オペレータは入力部１３を操作して、ＯＫボタン４２を押下する。それにより、流し込み領域属性作成部１７４は、流し込み領域設定メニューＭＮＬを終了する。流し込み領域設定メニューを中断したい場合には、キャンセルボタン４３を押下する。
【００４２】
ＯＫボタン４２をオペレータが押下した結果、それまでに流し込み領域設定メニューＭＮＬに入力された設定によって、流し込み領域属性作成部１７４が流し込み領域設定情報ＮＬＤを作成する。図３（ｅ）は、流し込み領域設定情報ＮＬＤの構成を説明するための図である。図３（ｄ）に示した内容を流し込み領域設定メニューＭＮＬに対して入力することにより、流し込み領域属性作成部１７４は、図３（ｅ）に示すような流し込み領域設定情報ＮＬＤを作成する。流し込み領域設定情報ＮＬＤは、後述するプロセスで使用されるまで、一時的にメモリ１７内部に保存される。
なお、この流し込み領域設定情報ＮＬＤ作成時に、各流し込み領域ＮＬに対して、フォント等表示時の設定を行うようにしてもよい。
【００４３】
ステップＳ２では、組版データ作成部１７１が、組版データＫＤを作成する。オペレータが組版データ作成部１７１を機能させることにより、組版データＫＤが作成される。なお、ネットワークＩ／Ｆ１４を介して、図示しない端末で作成された組版データＫＤを取り込むようにしてもよい。あるいは、やはり図示しない端末で作成された組版データＫＤをメディアディスク１８に格納し、メディアドライブ１５を介して取り込むようにしてもよい。
【００４４】
図４は、組版データＫＤの構成を説明するための図である。図示するように、組版データＫＤは、ＫＤ１〜ＫＤ３の集合であり、各組版データＫＤは、複数の組版情報ＫＪ１〜６を有している。組版情報ＫＪ１は「商品ＩＤ」を格納する。商品ＩＤは、組版データＫＤを流し込み部品データＮＤに配置する際の識別や組版データＫＤの配置順序を決定するのに使用するためのものであり、印刷物に表示されることはない。組版情報ＫＪ２は「商品名」、ＫＪ３は「タイプ」、ＫＪ４は「価格」に関する文字列を格納する。これら組版情報ＫＪ２〜４に格納された文字列は、後述するプロセスにおいて、流し込み設定情報ＮＬＤに基づいて流し込み部品データＮＤの流し込み領域ＮＬにそれぞれ流し込まれる。
組版情報ＫＪ５は「スタイル」を格納する。スタイルとは、組版データＫＤが格納した文字列が流し込まれる流し込み部品データＮＤに対する定義文であり、この「スタイル」に基づいて、後述するプロセスで流し込み領域ＮＬに対する流し込み領域属性ＮＺの付与が行なわれる。なお、「スタイル」が組版済み流し込み部品データＫＮＤにて直接表示されない場合は、レイアウトデータＬＤ上に配置された組版済み流し込み部品データＫＮＤにおいて、オペレータが入力部１３を操作して配置内容修正部１７５２を起動することにより、「スタイル」に格納された文字列が表示することができる。
組版情報ＫＪ６には「画像データ名」を格納する。組版情報ＫＪ６に格納された画像データ名もまた印刷物に印刷されることはない。組版データ配置部１７５が、ＫＪ６に格納された画像データ名に対応する画像データを記憶部１６より読み出し、ＫＪ６に対応する流し込み領域ＮＬに該画像データによる画像を配置することにより、印刷物における画像表示が行なわれる。
【００４５】
なお、図４に示した組版データＫＤの組版情報ＫＪは、それぞれ所定の区切りコードで区切られることにより、区別されている。また、各組版データＫＤもまた、所定の区切りコードで区切られることにより、区別されている。ここでは、組版情報ＫＪを区別するための区切りコードとして「，（コンマ）」を使用しており、組版データＫＤを区別するための区切りコードとして「リターン」が使用されている。
【００４６】
ステップＳ３において、組版データ配置部１７５が、配置情報ＨＪを作成する。図５（ａ）は、組版データ配置部１７５が表示部１２に表示した配置情報作成メニューＭＨＪを説明するための図である。オペレータが、この配置情報作成メニューＭＨＪに対して、入力部１３を操作して入力を行うことにより、配置情報ＨＪが作成される。
【００４７】
配置情報作成メニューＭＨＪは、配置情報ＨＪを作成するため、配置領域データ入力欄５１、流し込み領域設定情報入力欄５２、配列方向入力欄５３、スタイル指定欄５４を備えている。
配置領域データ入力欄５１は、組版済み流し込み部品データＫＮＤの配置対象となる配置領域データＨＤの名称を入力するために使用する。オペレータが、対象となる配置領域データＨＤの名称を配置領域データ入力欄５１に入力することにより、組版データ配置部１７５が、組版済み流し込み部品データＫＮＤを、該配置領域データＨＤの配置領域ＨＬそれぞれに流し込む。
流し込み領域設定情報入力欄５２は、配置領域ＨＬに配置される流し込み部品データＮＤについての設定が格納された流し込み領域設定情報ＮＬＤの名称を入力するために使用する。オペレータが、所望する流し込み形態を設定した流し込み領域設定情報ＮＬＤの名称を流し込み領域設定情報入力欄５２に入力することにより、該流し込み領域設定情報ＮＬＤを参照して、組版データ配置部１７５が、流し込み部品データＮＤに組版データＫＤに格納された文字列を流し込む。
配列方向入力欄５３は、所望する印刷物における表示方向について入力するために使用する。印刷物における表示方向としては、「用紙左上→右下、縦方向」、「用紙左上→右下、横方向」、「用紙右上→左下、縦方向」、「用紙右上→左下、横方向」が存在する。配列方向入力欄５３は、このような表示方向を入力するための表示方向ボタンを複数備えている。オペレータが入力部１３を操作して、所望する表示方向について、配列方向入力欄５３に備えられた表示方向ボタンを選択して押下すると、レイアウト領域ＬＬ上の配置領域ＨＬそれぞれに対する組版済み流し込み部品データＫＮＤの配置順序が、押下された表示方向ボタンによる条件を満たすよう決定される。
【００４８】
スタイル指定欄５４は、流し込み領域ＮＬに付与される流し込み領域属性ＮＺを指定するために使用する。オペレータが、スタイル指定を行うために、スタイル指定欄５４は、組版情報指定欄５４１、流し込み領域属性表示部５４２、流し込み領域属性変更ボタン５４３を備えている。
【００４９】
組版情報指定欄５４１は、流し込み領域ＮＬに付与される流し込み領域属性ＮＺを選択するための組版情報ＫＪを指定するために使用する。オペレータは、入力部１３を操作して、所望する組版データＫＤが有する組版情報ＫＪを、組版情報指定欄５４１に入力する。組版情報指定部１７３は、この組版情報指定欄５４１で指定された組版情報ＫＪを、指定組版情報ＳＫＪとして格納する。
なお、組版情報指定欄５４１では、複数の組版情報ＫＪを指定することができるようにしてもよい。
【００５０】
流し込み領域属性表示部５４２は、流し込み領域属性作成部１７４が作成した流し込み領域属性ＮＺの一覧を表示するためのものである。後述するプロセスにより、オペレータが作成した流し込み領域属性ＮＺは、この流し込み領域属性表示部５４２で表示される。従って、オペレータが、流し込み領域属性ＮＺが過不足している場合、あるいは変更を行いたい場合、この流し込み領域属性表示部５４２に表示された流し込み領域属性ＮＺを確認することにより、所望の処理を行うことができる。
また、流し込み領域属性表示部５４２に表示された流し込み領域属性ＮＺについては、入力部１３を操作することにより、オペレータが選択することができる。選択された流し込み領域属性ＮＺについては、流し込み領域属性変更ボタン５４３にて指定された変更が加えられる。
【００５１】
流し込み領域属性変更ボタン５４３は、流し込み領域属性表示部５４２に表示された流し込み領域属性ＮＺが指定された場合に、該指定された流し込み領域属性ＮＺに対して変更を行う時に使用する。また、流し込み領域属性ＮＺを新規に作成する際にも使用する。流し込み領域属性ＮＺの新規作成、変更、削除を行うため、流し込み領域属性変更ボタン５４３は、新規作成ボタン５４３ａ、変更ボタン５４３ｂ、削除ボタン５４３ｃを備えている。
【００５２】
新規作成ボタン５４３ａは、流し込み領域属性ＮＺを新規に作成する際に使用する。オペレータが、新規に流し込み領域属性ＮＺの作成を所望する場合には、入力部１３を操作して、新規作成ボタン５４３ａを押下する。それにより、ステップＳ４で示すように、流し込み領域属性作成部１７４によって流し込み領域属性ＮＺの作成が行なわれる。
【００５３】
変更ボタン５４３ｂは、流し込み領域属性ＮＺの内容を変更する際に使用する。流し込み領域属性表示部５４２に表示された流し込み領域属性ＮＺのうち一つが選択された状態で、オペレータが入力部１３を操作して、変更ボタン５４３ｂを押下すると、流し込み領域属性作成部１７４が起動し、選択された流し込み領域属性ＮＺの内容を変更することができる。
【００５４】
削除ボタン５４３ｃは、流し込み領域属性ＮＺを削除する際に使用する。流し込み領域属性表示部５４２に表示された流し込み領域属性ＮＺのうち一つが選択された状態で、オペレータが入力部１３を操作して、削除ボタン５４３ｃを押下すると、流し込み領域属性作成部１７４が、選択された流し込み領域属性ＮＺを削除する。
【００５５】
図５（ａ）に示した配置情報作成メニューＭＨＪに対する入力が終ったならば、オペレータは、ＯＫボタン５５を押下する。その結果、組版データ配置部１７５は、配置情報作成メニューＭＨＪを終了し、配置情報メニューＭＨＪに対して行われた入力により、配置情報ＨＪを作成する。配置情報ＨＪの作成を途中で終了したい場合は、キャンセルボタン５６を押下する。キャンセルボタン５６が押下されたならば、組版データ配置部１７５は配置情報ＨＪを作成することなく、配置情報作成メニューＭＨＪを終了する。
【００５６】
図５（ｂ）は、組版データ配置部１７５により作成された配置情報ＨＪの構成を説明するための図である。図示するように、配置情報ＨＪには、配置領域データ名、流し込み領域設定情報名、配列方向、指定組版情報、流し込み領域属性が格納されている。ここでは、配置領域データ名に「ＨＬ」、流し込み領域設定情報に「ＮＬＤ」、配列方向に「１（左上→右下、横方向）」、指定組版情報に「ＫＪ６」、流し込み領域属性にはまだなにも格納されていないものとする。
【００５７】
そこで、流し込み領域属性を作成するため、図５（ａ）に示した流し込み領域属性指定欄にて、オペレータは流し込み領域属性変更ボタン５４３の新規作成ボタン５４３ａを押下し、ステップＳ４に移行して、流し込み領域属性作成部１７４が流し込み領域属性ＮＺの作成を開始する。
【００５８】
図６（ａ）は、流し込み領域属性ＮＺを作成するため、流し込み領域属性作成部１７４が表示部１２に表示した、流し込み領域属性作成メニューＭＮＺを説明するための図である。
流し込み領域属性作成メニューＭＮＺは、流し込み領域属性ＮＺを作成するため、流し込み領域属性名入力欄６１、流し込み領域属性作成欄６２、流し込み領域属性リスト表示欄６３、流し込み領域属性変更ボタン６４、ＯＫボタン６５、キャンセルボタン６６を備えている。
【００５９】
流し込み領域属性名入力欄６１は、流し込み領域属性作成部１７４にて作成される流し込み領域属性ＮＺの名称を入力するために使用する。オペレータが、この流し込み領域属性名入力欄６１に、流し込み領域属性名を入力することにより、流し込み領域属性作成部１７４で作成される流し込み領域属性ＮＺの名称が決定する。ここで、オペレータは流し込み領域属性名として、任意の文字列ではなく、指定組版情報ＳＫＪに格納された文字列を、流し込み領域属性名として入力する。すなわち、後述するプロセスにおいて、流し込み領域属性ＮＺの名称と、指定組版情報ＳＫＪに格納された文字列が一致した場合に、流し込み領域ＮＬに該流し込み領域属性ＮＺをそれぞれ付与するためである。
【００６０】
流し込み領域属性作成欄６２は、流し込み領域属性作成部１７４にて作成される流し込み領域属性ＮＺを作成するため、使用する。流し込み領域属性ＮＺを作成するため、流し込み領域属性作成ボタン６２は、オブジェクト番号入力欄６２ａ、属性入力欄６２ｂ、色入力欄６２ｃを備えている。
【００６１】
オブジェクト番号入力欄６２ａは、流し込み部品データＮＤを構成する構成要素を指定するために入力する。前述の通り、流し込み部品データＮＤにおいて、流し込み領域属性ＮＺを付与する構成要素については、オブジェクト番号が与えられている。そこで、オブジェクト番号が与えられた流し込み部品データＮＤの構成要素について流し込み領域属性ＮＺを付与するため、オペレータは入力部１３を操作して、オブジェクト番号入力欄６２ａに、所望する流し込み領域属性ＮＺを付与したいオブジェクト番号を入力する。
【００６２】
属性入力欄６２ｂは、流し込み部品データＮＤを構成する構成要素について付与すべき属性を入力するために使用する。オペレータが、入力部１３を操作して、属性入力欄６２ｂに所望する属性を入力することにより、オブジェクト番号欄６２ａに入力したオブジェクト番号を有する流し込み部品データＮＤの構成要素に、該入力された属性が付与される。属性入力欄６２ｂに入力が可能な属性は、流し込み領域属性作成部１７４が用意した属性である。ここでは、「文字色変更」、「領域色変更」、「罫線色変更」、「画像色変更」、「オブジェクト削除」を属性として入力することができるものとする。なお、この属性入力欄６２ｂの属性入力手法としては、入力部１３を操作して、直接属性名を入力することのほかに、属性入力欄６２ｂがプルダウンリストとして、入力可能な属性を表示し、オペレータが入力部１３を操作して、表示されたプルダウンリストから所望する属性を選択して指定するようにしてもよい。
【００６３】
色入力欄６２ｃは、属性入力欄６２ｂにおいて、「文字色変更」、「領域色変更」、「罫線色変更」、「画像色変更」を入力したとき、変更したい色を入力するために使用する。オペレータが入力部１３を操作して、色入力欄６２ｃに所望する色を入力することにより、オブジェクト番号欄６２ａに入力したオブジェクト番号を有する流し込み部品データＮＤの構成要素に付与された属性が「文字色変更」、「領域色変更」、「罫線色変更」、「画像色変更」である場合に、該入力された色で、各種色変更が施される。色入力欄６２ｃに入力が可能な色は、流し込み領域属性作成部１７４が用意した色である。また、「画像色変更」のために、流し込み領域属性作成部１７４は着色のみならず、「カラー→モノクロ」、「カラー→マゼンダ、シアン」、「カラー→シアン」、「カラー→マゼンダ」、「カラー→イエロー」、「カラー→ブラック」などの色変更についても、用意されている。なお、この色入力欄６２ｃの色入力手法としては、入力部１３を操作して、直接色名を入力することのほかに、色入力欄６２ｃがプルダウンリストとして、入力可能な属性を表示し、オペレータが入力部１３を操作して、表示されたプルダウンリストから変更を所望する色を選択して指定するようにしてもよい。
【００６４】
流し込み領域属性リスト表示欄６３は、流し込み領域属性ＮＺの一覧を表示するために使用する。記憶部１６に格納された流し込み領域属性ＮＺについて、流し込み領域属性作成部１７４が、この流し込み領域属性リスト表示欄６３に表示する。流し込み領域属性リスト表示欄６３に表示された流し込み領域属性ＮＺは、入力部１３で指定可能であり、オペレータは、この流し込み領域属性リスト表示欄６３を参照して、既に作成された流し込み領域属性ＮＺを変更したり、削除することができる。
なお、流し込み領域属性ＮＺを指定するのに、流し込み領域属性名６１に、所望する流し込み領域属性名を入力するようにしてもよい。
【００６５】
流し込み領域属性リスト表示欄６３にて指定した流し込み領域属性ＮＺについて変更を加えるには、オペレータは流し込み領域属性変更ボタン６４を押下すればよい。流し込み領域属性変更ボタン６４は、流し込み領域属性ＮＺ変更のため、属性変更ボタン６４ａおよび削除ボタン６４ｂを備えている。
【００６６】
属性変更ボタン６４ａは、指定された流し込み領域属性ＮＺを変更するために使用する。所望する流し込み領域属性ＮＺが指定された後、オペレータが入力部１３を操作して、属性変更ボタン６４ａを押下すると、指定された流し込み領域属性ＮＺについて、流し込み領域属性作成欄６２による属性作成が可能となる。オペレータは、流し込み領域属性作成欄６２による入力を行い、指定された流し込み領域属性ＮＺについて、変更を行うことができる。
【００６７】
削除ボタン６４ｂは、指定された流し込み領域属性ＮＺを削除するために使用する。所望する流し込み領域属性ＮＺが指定された後、オペレータが入力部１３を操作して、削除ボタン６４ｂを押下すると、指定された流し込み領域属性ＮＺについて、流し込み領域属性作成部１７４が削除を行う。
【００６８】
流し込み領域属性作成メニューＭＮＺに対して入力を行ったならば、オペレータはＯＫボタン６５を押下する。流し込み領域属性作成部１７４は流し込み領域属性作成メニューの表示を終了し、該流し込み領域属性作成メニューＭＮＺに行われた入力に基づいて、流し込み領域属性ＮＺを作成する。作成された流し込み領域属性ＮＺは、記憶部１６へ格納される。流し込み領域属性の作成を中断したい場合には、キャンセルボタン６６を押下すれば、流し込み領域属性作成部１７４は流し込み領域属性ＮＺを作成せずに、流し込み領域属性作成メニューＭＮＺの表示を終了する。
【００６９】
図６（ｂ）は、流し込み領域属性作成メニューＭＮＺに対して行われた入力に基づいて、流し込み領域属性作成部１７４が作成した流し込み領域属性ＮＺの構成を説明するための図である。図６（ｂ−１）は、流し込み領域属性作成メニューＭＮＺに対して、流し込み領域属性名に「食器」、流し込み領域属性作成欄ではオブジェクト番号ｏｂｊ１に対して「文字色変更」、「赤」を入力しオブジェクト番号ｏｂｊ２に対して「領域色変更」、「青」、オブジェクト番号３に対して「罫線色変更」、「黒」、オブジェクト番号４に対して「画像色変更」、「カラー→ＣＭ」を入力したとき、流し込み領域属性作成部１７４が作成した流し込み領域属性「食器」の構成を示している。
また、図６（ｂ−２）は、流し込み領域属性作成メニューＭＮＺに対して、流し込み領域属性名に「リビング」オブジェクト番号ｏｂｊ１に対して「文字色変更」、「赤」、オブジェクト番号２に対して「領域色変更」、「クリーム」オブジェクト番号ｏｂｊ３に対して「罫線色変更」、「非表示」を入力しオブジェクト番号ｏｂｊ４に対しては入力を行わなかった場合に、流し込み領域属性作成部１７４が作成した流し込み領域属性「リビング」の構成を示している。ここでオブジェクト番号ｏｂｊ４には、属性の入力および色の入力が行なわれていないので、流し込み領域属性「リビング」が付与される流し込み領域部品データＮＤにおいては、流し込み領域ＮＬに流し込まれる画像データの色変更が行われないことを意味している。
【００７０】
流し込み領域属性ＮＺの作成が終ったならば、ステップＳ５に移行する。ステップＳ５でｈ、組版データ配置部１７５が、組版データＫＤに格納されている文字列を流し込み部品データＮＤに流し込み、文字列が流し込まれた組版済み流し込み部品データＫＮＤを配置領域ＨＬに配置する。
図７は、ステップＳ５において、組版データ配置部１７５が、組版データＫＤを、流し込み領域設定情報ＮＬＤおよび配置情報ＨＪに基づいて、流し込み部品データＮＤに配置する処理について説明するための図である。
【００７１】
組版データ配置部１７５は、組版データＫＤを配置する配置領域データＨＤについて、配置情報ＨＪの設定を参照して、メモリ１７より読み出す。また、組版データ配置部１７５は、配置領域ＨＬに配置される流し込み部品データＮＤを、記憶部１６より読み出し、合わせて組版データＫＤを一つ記憶部１６から読み出す。組版データ配置部１７５は、読み出した組版データＫＤが有する組版情報ＫＪにそれぞれ格納された文字列を、やはり読み出した流し込み部品データＮＤの流し込み領域ＮＬに流し込む。このとき、組版データ配置部１７５は、配置情報ＨＪにて設定された流し込み領域設定情報ＮＬＤを参照して、組版情報ＫＪに対応した流し込み部品データＮＤの流し込み領域ＮＬに、組版情報ＫＪにそれぞれ格納された文字列を流し込む。
【００７２】
ここでは、組版データＫＤ１に格納された文字列を流し込み部品データＮＤ１に流し込むものとして、組版データ配置部１７５は、組版データＫＤ１が有する複数の組版情報ＫＪを逐一読み出し、対応する流し込み領域ＮＬそれぞれに流し込む。
【００７３】
ステップＳ１で作成された流し込み領域設定情報ＮＬＤに格納された設定では、流し込み部品データＮＤの流し込み領域ＮＬ１に対応する組版情報ＫＪは「ＫＪ２」、流し込み領域ＮＬ２に対応する組版情報ＫＪは「ＫＪ３」、流し込み領域ＮＬ３に対応する組版情報ＫＪは「ＫＪ４」、流し込み領域ＮＬ４に対応する組版情報ＫＪは「ＫＪ６」であることから、組版データ配置部１７５は、組版データＫＤ１より、該当する組版情報ＫＪ３〜５に格納されている文字列「マグカップ」、「洋食器」、「１５００円」を読み出し、該当する流し込み領域ＮＬそれぞれに流し込む。また、組版情報ＫＪ６に格納されているのは「ｍｕｇ．ｊｐｇ」であることから、画像データｍｕｇ．ｊｐｇを記憶部１６より読み出し、流し込み領域ＮＬ４に配置する。さらに、組版データ配置部１７５は、配置情報ＨＪにに基づいて、組版データＫＤ１に格納された文字列が流し込まれた組版済み流し込み部品データＫＮＤ１を、レイアウト領域ＬＬにおける配置領域ＨＬ１に配置する。
このようにして組版データ配置部１７５により、組版データＫＤ１に格納された文字列が流し込まれた組版済み部品データＫＮＤ１が配置領域ＨＬ１に配置された結果、図７に示すような組版済み配置領域ＫＨＬ１が作成される。続いて、組版データ配置部１７５は、組版データＫＤ２、３に格納された文字列を流し込み部品データＮＤに流し込む処理を繰り返すことにより、配置領域ＨＬに対する組版済み流し込み部品データＫＮＤの配置を繰り返し、レイアウト領域ＬＬにおける組版済み配置領域ＫＨＬを作成する。
【００７４】
ステップＳ５にて、組版済み配置領域ＫＨＬが作成されたならば、ステップＳ６に移行し、流し込み領域属性付与部１７５１が、組版済み配置領域ＫＨＬに配置された組版済み流し込み部品データＫＮＤに対して、流し込み領域属性ＮＺを付与する。流し込み領域属性付与部１７５１は、配置情報ＨＪに格納された指定組版情報ＳＫＪを参照し、組版済み配置領域ＫＨＬに配置された組版済み流し込みデータＫＮＤに流し込まれた組版データＫＤにおける指定組版情報ＳＫＪに格納されている文字列に基づいて、該文字列と同一名称を有する流し込み領域属性ＮＺを記憶部１６より検索し、該流し込み領域属性ＮＺを読み込む。流し込み領域属性付与部１７５１は、組版済み流し込み部品データＫＮＤの各構成要素に、読み込んだ流し込み領域属性ＮＺに格納された属性を付与する。
【００７５】
ここでは、組版済み流し込み部品データＫＮＤ１に流し込まれた組版データＫＤに対して流し込み領域属性ＮＺを付与するものとして説明を行う。
配置情報ＨＪに格納された指定組版情報ＳＫＪが「ＫＪ６」であり、組版済み流し込み部品データＫＮＤ１に流し込まれた組版データＫＤ１の組版情報ＫＪ６に格納されている文字列が「食器」であることから、流し込み領域属性付与部１７５１は、「食器」という名称が与えられた流し込み領域属性ＮＺを記憶部１６より検索し、読み込む。流し込み領域属性付与部１７５１は、読み込んだ流し込み領域属性ＮＺに格納されたオブジェクト番号ｏｂｊ毎に設定された属性を、該オブジェクト番号ｏｂｊが指定された組版済み流し込み部品データＫＮＤ１の流し込み領域ＮＬに付与する。
【００７６】
組版済み流し込み部品データＫＮＤ１の場合、流し込み領域ＮＬ１およびＮＬ３に指定されたオブジェクト番号ｏｂｊは「０」なので、流し込み領域属性ＮＺは付与されない。それに対して、流し込み領域ＮＬ２にはオブジェクト番号ｏｂｊとして「１」および「２」が指定されていることから、流し込み領域属性付与部１７５１は、流し込み領域属性「食器」に格納されたオブジェクト番号ｏｂｊ１に設定された属性「文字色：赤」およびオブジェクト番号ｏｂｊ２に設定された属性「領域色：青」を、流し込み領域ＮＬ２に付与する。また、組版済み流し込み部品データＫＮＤ１を構成する配置図形ＨＺにオブジェクト番号ｏｂｊ「３」が指定されているので、流し込み領域属性付与部１７５１は、流し込み領域属性「食器」に格納されたオブジェクト番号ｏｂｊ３に設定された属性「罫線色：黒」を配置図形ＨＺに付与する。さらに、組版済み流し込み部品データＫＮＤ１の流し込み領域ＮＬ４にはオブジェクト番号ｏｂｊ「４」が指定されているので、流し込み領域属性付与部１７５１は、流し込み領域属性「食器」に格納されたオブジェクト番号ｏｂｊ４に設定された「画像色：シアン、マゼンダ」を付与する。
【００７７】
それにより、組版済み流し込み部品データＫＮＤ１は、図８（ａ）に示すような表示態様として、配置領域ＨＬに配置される。流し込み領域属性付与部１７５１は、配置領域ＨＬに配置された他の組版済み流し込み部品データＫＮＤ２、ＫＮＤ３に対しても流し込み領域属性ＮＺの付与を繰り返し、図８（ｂ）に示しているように、表示態様が決定した組版済み配置領域ＫＨＬ１、ＫＨＬ２、ＫＨＬ３が、レイアウト領域ＬＬに配置される。
【００７８】
ステップＳ７において、電子組版装置１のオペレータは、レイアウト領域ＬＬにおける組版済み配置領域ＫＨＬを確認し、文字列の表示や表示態様に問題がないかどうかを確認する。問題がない場合には、ステップＳ１０に移行する。組版済み配置領域ＫＨＬを確認したオペレータが、修正を所望する場合には、ステップＳ８へ移行する。
【００７９】
ステップＳ８では、配置内容修正部１７５２が、オペレータの所望する修正を実行する。オペレータは、入力部１３を操作して、修正を所望する組版済み配置領域ＫＨＬを指定する。
【００８０】
図９（ａ）は表示部１２に表示された組版済み配置領域ＫＨＬ３を修正する場合を例に、ステップＳ８における組版済み配置領域ＫＨＬの修正を説明するためのものである。オペレータは、入力部１３を操作して、修正すべき組版済み配置領域ＫＨＬ３上に位置するよう、マウスポインタＭＰを移動させる。マウスポインタＭＰが組版済み配置領域ＫＨＬ３上に位置したならば、オペレータは配置内容修正部１７５２を起動する。それにより、配置内容修正部１７５２は、文字列修正メニューＭＳＭを表示する。図示しているように、文字列修正メニューＭＳＭは、組版済み流し込み部品データＫＮＤと組版データＫＤとの対応に基づき、修正文字列表示欄９１に組版済み配置領域ＫＨＬに配置された組版済み流し込み部品データＫＮＤに格納された組版データＫＤの文字列を表示している。すなわち、組版済み配置領域ＫＨＬ３の場合であれば、配置された組版済み流し込み部品データＫＮＤ３に格納された文字列が、組版データＫＤ３に格納されたものであることから、図示するように、文字列修正メニューＭＳＭの修正文字列表示欄９１に表示されている文字列は、組版データＫＤ３の組版情報ＫＪにそれぞれ格納された文字列となる。
【００８１】
配置内容修正部１７５２が文字列修正メニューＭＳＭを表示したならば、オペレータは入力部１３を操作して、文字列修正メニューＭＳＭ上に表示された、修正文字列表示欄９１上にマウスポインタＭＰを移動させ、さらに入力部１３を操作して、所望する文字列を修正する。
ここでは、文字列修正メニューＭＳＭの修正文字列表示欄９１上に表示された組版データＫＤ３に格納された文字列について、組版情報ＫＪ２に格納された文字列「ソファ」を「ティーカップ」に、ＫＪ３に格納された文字列を「リビング」を「洋食器」に、ＫＪ５に格納された文字列「リビング」を「食器」に、ＫＪ６に格納された文字列「ｓｏｆａ．ｊｐｇ」を「ｃｕｐ．ｊｐｇ」に、それぞれ修正したものとする。修正が終了したならば、オペレータは入力部１３を操作して、ＯＫボタン９２を押下する。それにより、配置内容修正部１７５２による文字列修正メニューＭＳＭの表示が終了し、文字列修正メニューＭＳＭで修正された文字列が、組版データ配置部１７５により、流し込み部品データＮＤの流し込み領域ＮＬに流し込まれる。また、文字列の修正を中止したい場合には、キャンセルボタン９３を押下し、文字列修正メニューＭＳＭの表示を中止する。
なお、文字列修正メニューＭＳＭで修正された文字列については、組版データＫＤ３に格納されるようにしてもよい。
【００８２】
ステップＳ８における組版済み配置領域ＫＨＬに対する文字列の修正が終了したならば、ステップＳ９にて、組版データ配置部１７５が、指定組版情報ＳＫＪに格納された文字列が修正されたか否かを判断する。指定組版情報ＳＫＪに格納された文字列について修正が行なわれなかった場合は、ステップＳ７へ帰還する。指定組版情報ＳＫＪに格納された文字列が修正された場合には、ステップＳ６へ帰還し、指定組版情報ＳＫＪに格納された文字列に基づき、組版済み流し込み部品データＫＮＤに対して流し込み領域属性ＮＺの再付与が行なわれる。
ここでは、組版済み配置領域ＫＨＬ３に対して行なわれた文字列の修正時に、指定組版情報ＳＫＬであるＫＪ５に格納された文字列「リビング」が「食器」に修正されているので、ステップＳ６へ帰還し、組版済み流し込み部品データＫＮＤ３に対して、流し込み領域属性「食器」が再付与される。その結果、図９（ｂ）に示すように、表示態様が変更された組版済み配置領域ＫＨＬ３が、レイアウト領域ＬＬに配置される。
【００８３】
ステップＳ１０にて、組版データ配置部１７５が、組版済み配置領域ＫＨＬが配置されたレイアウト領域ＬＬに基づいて、レイアウトデータＬＤを作成する。図１０は、組版データ配置部１７５が作成したレイアウトデータＬＤの構成を説明するための図である。図示するように、レイアウトデータＬＤでは、配置領域ＨＬ１、ＨＬ２、ＨＬ３それぞれに組版済み流し込み部品データＫＮＤ１、ＫＮＤ２、ＫＮＤ３が配置されており、組版済み流し込み部品データＫＮＤ１、ＫＮＤ２、ＫＮＤ３それぞれに、組版データＫＤ１、ＫＤ２、ＫＤ３の組版情報ＫＪにそれぞれ格納された文字列が流し込まれている。また、組版済み流し込み部品データＫＮＤ１、ＫＮＤ２、ＫＮＤ３に対して、流し込み領域属性付与部１７５１によって付与された流し込み領域属性「食器」がそれぞれ付与された結果、レイアウトデータＬＤにおいても、該流し込み領域属性にて設定された表示態様が行なわれることが示されている。
【００８４】
従って、図１に示した電子組版装置１が、図２に示すフローチャートのように動作することにより、従来技術の欠点を除去し、商品紹介時の表示態様変更を容易に行うことができる電子組版装置を提供することが可能となり、特に配置領域の罫線色や平網部品の色、あるいは文字列の色を容易に変更することができ、修正作業の効率を向上しうる電子組版装置を提供することが可能となる。
【００８５】
「変形例」
ここまで説明してきたうち、ステップＳ１乃至Ｓ３の動作については、順序を変更することが可能である。
また、組版データＫＤ作成時に、指定組版情報ＳＫＪを指定するようにしてもよい。
さらに、流し込み部品データＮＤ作成時に、流し込み部品データＮＤの構成要素それぞれに流し込み領域属性ＮＺを付与しておき、指定組版情報ＳＫＪに基づいて、ステップＳ７で該流し込み部品データＮＤの流し込み領域属性ＮＺを変更するようにしてもよい。
【図面の簡単な説明】
【図１】電子組版装置１の構成を説明するための図である。
【図２】電子組版装置１の動作を説明するためのフローチャートである。
【図３】配置領域ＨＬの構成、および流し込み部品データＮＤと流し込み領域設定情報ＮＬＤの構成を説明するための図である。
【図４】組版データＫＤの構成を説明するための図である。
【図５】配置情報ＨＪを作成するための配置情報作成メニューＭＨＪ、および配置情報ＨＪの構成を説明するための図である。
【図６】流し込み領域属性作成メニューＭＮＺ、および流し込み領域属性ＮＺの構成を説明するための図である。
【図７】組版済み流し込み部品データＫＮＤを説明するための図である。
【図８】流し込み領域属性ＮＺが付与された組版済み流し込み部品データＫＮＤ、およびレイアウト領域に配置された組版済み配置領域ＫＨＬを説明するための図である。
【図９】組版済み流し込み部品データＫＮＤに対する文字列修正、および文字列が修正されたことにより、変更された組版済み配置領域ＫＨＬを説明するための図である。
【図１０】レイアウトデータＬＤの構成を説明するための図である。
【符号の説明】
１  電子組版装置
１１  ＣＰＵ
１２  表示部
１３  入力部
１４  ネットワークＩ／Ｆ
１５  メディアドライブ
１６  記憶部
１７  メモリ
１８  メディアディスク
４１  配置領域データ名入力欄
４２  組版情報設定欄
４１ａ流し込み領域名入力欄
４１ｂ  流し込み領域名入力欄
４１ｃ  組版情報入力欄
４１ｄ  オブジェクト番号入力欄
４３、５５、６５、９２  ＯＫボタン
５１  配置領域データ入力欄
５２  流し込み領域設定情報入力欄
５３  配列方向入力欄
５４  流し込み領域属性入力欄
６１  流し込み領域属性名入力欄
６２  流し込み領域属性設定欄
６２ａ  オブジェクト番号入力欄
６２ｂ  属性入力欄
６２ｃ  色入力欄
６３  流し込み領域属性リスト表示欄
６４  流し込み領域属性変更ボタン
６４ａ  変更ボタン
６４ｂ  削除ボタン
９１  修正文字列表示欄
１７１  組版データ作成部
１７２  配置領域作成部
１７３  組版情報指定部
１７４  流し込み領域属性作成部
１７５  組版データ配置部
５４１  組版情報入力欄
５４２  流し込み領域属性リスト表示欄
５４３  流し込み領域属性変更ボタン
５４３ａ  新規作成ボタン
５４３ｂ  変更ボタン
５４３ｃ  削除ボタン
１７５１  流し込み領域属性付与部
１７５２  配置内容修正部
ＨＪ  配置情報
ＨＬ  配置領域
ＫＤ、ＫＤ１〜４  組版データ
ＫＪ、ＫＪ１〜７  組版情報
ＫＨＬ、ＫＨＬ１、ＫＨＬ２、ＫＨＬ３  組版済み配置領域
ＫＮＤ  組版済み流し込み部品データ
ＬＤ  レイアウトデータ
ＬＬ  レイアウト領域
ＭＮＬ  流し込み領域設定メニュー
ＭＮＺ  流し込み領域属性作成メニュー
ＭＨＪ  配置情報作成メニュー
ＭＳＭ  文字列修正メニュー
ＮＤ  流し込み部品データ
ＮＬ、ＮＬ１〜４  流し込み領域
ＮＺ  流し込み領域属性
ＮＬＤ  流し込み領域設定情報
【図１】
0003771465.tif 000002
【図２】
0003771465.tif 000003
【図３】
0003771465.tif 000004
【図４】
0003771465.tif 000005
【図５】
0003771465.tif 000006
【図６】
0003771465.tif 000007
【図７】
0003771465.tif 000008
【図８】
0003771465.tif 000009
【図９】
0003771465.tif 000010
【図１０】
0003771465.tif 000011